(57)【要約】【課題】  書店等での販売促進を兼ねたサービスに伴う提供資材としても対応でき、一方で一定の品質を発現して有償提供にも適した商品構成とすることのできる新規なブックカバー並びにその製造方法を開発することを技術課題とした。【解決手段】  固定カバー部１１と、背表紙カバー部１２と、調整カバー部１３とを連続的に一体に具えて表紙カバー部１０を形成し、更に前記固定カバー部１１の内側にこれに重なるように折り込まれるポケットフラップ１４が設けられ、固定カバー部１１とポケットフラップ１４との間に固定差し込みポケットＰ１が形成され、一方、前記調整カバー部１３の自由端側には、調整カバー部１３の内側にこれに重なるように折り込まれる調整フラップ１５が延長形成され、更に前記調整カバー部１３の内側には、前記折り込まれる調整フラップ１５の自由端を差し込んで保持するフラップ押さえバンド１６を具えていることを特徴として成る。【選択図】図２
2016087889.tif 000002
【特許請求の範囲】
【請求項１】
固定カバー部と、背表紙カバー部と、調整カバー部とを連続的に一体に具えて表紙カバー部を形成し、
更に前記固定カバー部の内側にこれに重なるように折り込まれるポケットフラップが設けられ、固定カバー部とポケットフラップとの間に固定差し込みポケットが形成され、
一方、前記調整カバー部の自由端側には、調整カバー部の内側にこれに重なるように折り込まれる調整フラップが延長形成され、
更に前記調整カバー部の内側には、前記折り込まれる調整フラップの自由端を差し込んで保持するフラップえバンドを具えていることを特徴とするブックカバー。
【請求項２】
前記フラップ押さえバンドと、調整フラップとは、ブランク状態から使用を待機している製品状態までの間は、一体に形成されており、使用時において切離されるものであることを特徴とする請求項１記載のブックカバー。
【請求項３】
前記ポケットフラップには、しおり収め部が形成されていることを特徴とする請求項１または２記載のブックカバー。
【請求項４】
前記請求項１、２、３いずれかに記載のブックカバーを、そのブランク状態から製品状態とする製造方法であって、
ブランク状態では、ポケットフラップ部と、固定カバー部と、背表紙カバー部と、調整カバー部と、調整フラップとが順次連接する状態で形成されるとともに、
調整カバー部の自由端には、フラップ押さえバンドが切離可能な状態に延長形成され、
更に製品状態で重なり合う前記固定カバー部とポケットフラップ部とのいずれか一方及び前記調整カバー部とフラップ押さえバンドとのいずれか一方には、糊しろフラップが張出形成されて成り、
まず糊しろフラップ折込工程で、糊しろフラップの曲折部で前記各糊しろフラップを張り出し状態から内側に向けて折り込み、
次いで接着剤供給工程で、これら糊しろフラップ、又はそれと接する部材の一部の部位に接着剤を供給し、
更にフラップ折込工程で、前記ポケットフラップ部を固定カバー部側に折り込み、糊しろフラップとの接触により、ポケットフラップ部と固定カバー部との固定を上下両縁で図り、
一方で前記フラップ押さえバンドを伴った調整フラップを調整カバー部側に折り込み、糊しろフラップとの接触により、フラップ押さえバンドと調整カバー部との固定を上下両縁で図るようにしたことを特徴とするブックカバーの製造方法。
【請求項５】
前記糊しろフラップはいずれも、固定カバー部及び調整カバー部を含む表紙カバー部側から上下方向に張出形成されていることを特徴とする請求項４記載のブックカバーの製造方法。
【請求項６】
前記糊しろフラップと他の部材とを接着させるための接着剤は、折り込まれた後の糊しろフラップの固着面に供給されるものであることを特徴とする請求項４または５記載のブックカバーの製造方法。
【発明の詳細な説明】
【技術分野】
【０００１】
本発明は、書店等での販売促進を兼ねたサービスに伴って提供したり、あるいは単独の有償商品として対応できる高級感を伴った質感を発現することもできるブックカバー並びにその製造方法に関するものである。
【背景技術】
【０００２】
書店での本の販売の一環として、購入された本にブックカバーをかけるサービスが提供されている。
その多くは書店ごとにデザインされた紙製のものであり、カバーを掛け易いように予め本のサイズごとに折り込みやスリットが形成された状態で準備されている（例えば特許文献１、２参照）。
しかしながらこのようなサービスに付随したブックカバーでは、装飾機能乃至は本の保護機能が充分ではない。このため人によっては、好みの布、合成皮革、装飾された不織布等のブックカバーを利用することも多い。
このような本格的なブックカバーは、当然ながら一定の高級感を伴った質感を具えることからコストがかかり、多くは単独で商品として販売されており、書店でのサービスに伴う提供には適していない。
このように現実には、いわば本格的なブックカバーに対し、サービスに伴って提供されるブックカバーは、いかにも見劣りするものであるのが現状である。
【先行技術文献】
【特許文献】
【０００３】
【特許文献１】実用新案登録第３１６１９１３号公報
【特許文献２】実用新案登録第３０７１６４４号公報
【発明の概要】
【発明が解決しようとする課題】
【０００４】
本発明はこのような背景を考慮してなされたものであって、書店等での販売促進を兼ねたサービスに伴う提供資材としても対応でき、一方で一定の品質を発現して有償提供にも適した商品構成とすることのできる新規なブックカバー並びにその製造方法を開発することを技術課題としたものである。
【課題を解決するための手段】
【０００５】
すなわち請求項１記載のブックカバーは、固定カバー部と、背表紙カバー部と、調整カバー部とを連続的に一体に具えて表紙カバー部を形成し、更に前記固定カバー部の内側にこれに重なるように折り込まれるポケットフラップが設けられ、固定カバー部とポケットフラップとの間に固定差し込みポケットが形成され、一方、前記調整カバー部の自由端側には、調整カバー部の内側にこれに重なるように折り込まれる調整フラップが延長形成され、更に前記調整カバー部の内側には、前記折り込まれる調整フラップの自由端を差し込んで保持するフラップ押さえバンドを具えていることを特徴として成るものである。
【０００６】
また請求項２記載のブックカバーは、前記要件に加え、前記フラップ押さえバンドと、調整フラップとは、ブランク状態から使用を待機している製品状態までの間は、一体に形成されており、使用時において切離されるものであることを特徴として成るものである。
【０００７】
更にまた請求項３記載のブックカバーは、前記要件に加え、前記ポケットフラップには、しおり収め部が形成されていることを特徴として成るものである。
【０００８】
また請求項４記載のブックカバーの製造方法は、前記請求項１、２、３いずれかに記載のブックカバーを、そのブランク状態から製品状態とする製造方法であって、ブランク状態では、ポケットフラップ部と、固定カバー部と、背表紙カバー部と、調整カバー部と、調整フラップとが順次連接する状態で形成されるとともに、調整カバー部の自由端には、フラップ押さえバンドが切離可能な状態に延長形成され、更に製品状態で重なり合う前記固定カバー部とポケットフラップ部とのいずれか一方及び前記調整カバー部とフラップ押さえバンドとのいずれか一方には、糊しろフラップが張出形成されて成り、まず糊しろフラップ折込工程で、糊しろフラップの曲折部で前記各糊しろフラップを張り出し状態から内側に向けて折り込み、次いで接着剤供給工程で、これら糊しろフラップ、又はそれと接する部材の一部の部位に接着剤を供給し、更にフラップ折込工程で、前記ポケットフラップ部を固定カバー部側に折り込み、糊しろフラップとの接触により、ポケットフラップ部と固定カバー部との固定を上下両縁で図り、一方で前記フラップ押さえバンドを伴った調整フラップを調整カバー部側に折り込み、糊しろフラップとの接触により、フラップ押さえバンドと調整カバー部との固定を上下両縁で図るようにしたことを特徴として成るものである。
【０００９】
また請求項５記載のブックカバーの製造方法は、前記請求項４記載の要件に加え、前記糊しろフラップはいずれも、固定カバー部及び調整カバー部を含む表紙カバー部側から上下方向に張出形成されていることを特徴として成るものである。
【００１０】
更にまた請求項６記載のブックカバーの製造方法は、前記請求項４または５記載の要件に加え、前記糊しろフラップと他の部材とを接着させるための接着剤は、折り込まれた後の糊しろフラップの固着面に供給されるものであることを特徴として成るものである。
そしてこれら各請求項記載の発明の構成を手段として前記課題の解決が図られる。
【発明の効果】
【００１１】
まず請求項１記載の発明によれば、本の厚さに応じて調整フラップと表紙カバー部との長さ寸法を異ならせて対応することができ、しかもブックカバーの構成を簡素なものとして、生産性に優れたものとすることができる。このため高価な素材を採用することにより、一定の品質を発現して有償提供にも適した商品構成とすることが可能となる。
【００１２】
また請求項２記載の発明によれば、調整フラップと、この調整フラップの自由端を差し込んで保持するフラップ押さえバンドとを一体化することにより、ブックカバーをブランク状態から商品として流通する段階における完成状態とする作業を容易なものとすることができる。更にフラップ押さえバンドの位置決めを正確かつ確実に行うことが可能となる。
【００１３】
更にまた請求項３記載の発明によれば、ブックカバーの付加価値を高めることができる。
【００１４】
また請求項４記載の発明によれば、調整フラップと、この調整フラップの自由端を差し込んで保持するフラップ押さえバンドとを一体化することにより、ブックカバーをブランク状態から商品として流通する段階における完成状態とする作業を容易なものとすることができる。更にフラップ押さえバンドの位置決めを正確かつ確実に行うことが可能となる。
【００１５】
また請求項５記載の発明によれば、ポケットフラップ及び調整フラップを表紙カバー部に対して強固に一体化することができる。
【００１６】
更にまた請求項６記載の発明によれば、ポケットフラップ及び調整フラップが折り込まれる側の表紙カバー部に糊しろフラップが形成されることにより、糊しろフラップに対する接着剤の供給を合理的に行うことができる。
【図面の簡単な説明】
【００１７】
【図１】本発明のブックカバーの製造方法を実現するための工程及び機器を示す工程図である。
【図２】本発明のブックカバーの完成状態を示す正面図である。
【図３】本発明のブックカバーの完成前のブランクを示す正面図である。
【図４】本に対してブックカバーを装着する様子を段階的に示す斜視図である。
【図５】本発明のブックカバーの製造方法を段階的に示す工程図である。
【図６】補強フラップが具えられた実施例を示す正面図である。
【図７】しおりが具えられた実施例を示す正面図である。
【発明を実施するための形態】
【００１８】
本発明を実施するための形態には、図示の実施例を適切な一例とするが、本発明の技術的思想の範囲内において適宜変更を加えることも可能である。
以下の説明では、まず本発明のブックカバー１が商品として流通する段階における完成状態、並びに本Ｂに装着されて保護カバーとして機能する使用状態について説明した後、本発明のブックカバーの製造方法について説明する。
【実施例】
【００１９】
まず商品として流通する段階における完成状態のブックカバー１は、図２に示すように、図３に示すブランク１Ｂを折り曲げて形成された、全体としては略横長の帯状部材であって、表紙カバー部１０を構成する固定カバー部１１、背表紙カバー部１２、調整カバー部１３が連続的に一体に形成されている。
更に固定カバー部１１の一端（背表紙カバー部１２と逆側）には、ポケットフラップ１４が連なって一体に形成され、このポケットフラップ１４が内側に折り込まれて折り目Ｌ１が形成されるとともに、固定カバー部１１とポケットフラップ１４との間に固定差込ポケットＰ１が形成されている。
【００２０】
一方、調整カバー部１３の一端（背表紙カバー部１２と逆側）には、調整フラップ１５が連なって一体に形成され、更にこの調整フラップ１５にはフラップ押さえバンド１６が連なって一体に形成されている。そしてこの調整フラップ１５が内側に折り込まれて折り目Ｌ２が形成されるとともに、フラップ押さえバンド１６が調整カバー部１３に固定される。
その結果、調整カバー部１３の内側面と、調整フラップ１５及びフラップ押さえバンド１６の内側面とが接するようになり、この接した部位の内側がポケット状に形成されるものであり、この調整フラップ１５の内側面の部位を調整差込ポケットＰ３とするとともに、フラップ押さえバンド１６の内側面の部位を押さえポケットＰ２とする。
なお後述するように使用時には、押さえポケットＰ２にも調整フラップ１５が差し込まれて保持されるものであり、正面視で前記調整差込ポケットＰ３と押さえポケットＰ２とは連なる状態ないしは重なった状態となる。
なお調整フラップ１５とフラップ押さえバンド１６との境界部には、いわゆるミシン目である弱化線１６Ｌが形成されている。
また図中では、これら固定カバー部１１、背表紙カバー部１２、調整カバー部１３を明確に区分けしているが、これらの幅寸法は装着される本Ｂの厚さに応じて、結果的に異なってくるものである。
【００２１】
また前記固定カバー部１１及びフラップ押さえバンド１６の固定は、表紙カバー部１０の上下に張り出して設けられた糊しろフラップである固定糊しろフラップ１７、バンド糊しろフラップ１８を用いて行われるものである。まず前記固定カバー部１１とポケットフラップ１４との固定は、固定カバー部１１側に折り込まれた固定糊しろフラップ１７に塗布される接着剤Ｇによって行われ、同様に調整カバー部１３とフラップ押さえバンド１６との固定は、調整カバー部１３側に折り込まれたバンド糊しろフラップ１８に塗布される接着剤Ｇによって行われる。
なおこの実施例で示す固定糊しろフラップ１７は、いずれもブランク１Ｂにおける表紙カバー部１０側から上下方向に張出形成されるようにしたが、この糊しろフラップを、ポケットフラップ１４、フラップ押さえバンド１６の上下に張り出して設けるようにしてもよい。
【００２２】
また前記ポケットフラップ１４に、しおり収め部１４Ａを形成してもよく、この実施例では一例として、一般的なしおりの幅寸法よりもやや大きめの幅寸法に設定された切り込み１４０を形成するようにした。
【００２３】
ここでこのようなブックカバー１を本Ｂに装着する使用状態について説明する。
まず図４（ａ）に示す状態から、図４（ｂ）に示すように、まず固定差込ポケットＰ１に対して、本Ｂの一方の表紙、例えば縦書きの文庫分であればウラ表紙Ｂ１が奥まで挿入される。
次いで図４（ｃ）に示すように、背表紙Ｂ２に合わせて、背表紙カバー部１２に折り目Ｌ３、Ｌ４を形成する。もちろん本Ｂの背表紙Ｂ２と表紙との境界が明確に角張っていない場合には、折り目Ｌ３、Ｌ４は明確に形成されない。因みに背表紙Ｂ２の角となる折り目Ｌ３、Ｌ４は製品段階では明瞭に形成されていない上、本Ｂの厚さで形成位置も変わってくる。その状況を表現するため、図３に示すブランク１Ｂでは、複数の破線で折り目Ｌ３、Ｌ４を描いている。
そしてこの際、図４（ｂ）、（ｃ）に示すように、弱化線１６Ｌにおいて調整フラップ１５とフラップ押さえバンド１６とを切り離し、調整フラップ１５を自由状態とする。
その後図４（ｄ）に示すように、まずフラップ押さえバンド１６の内側の押さえポケットＰ２に対してオモテ表紙Ｂ３を挿し通す。
次いで図４（ｅ）に示すように、オモテ表紙Ｂ３の端部に合わせて、自由状態に拡がっている調整フラップ１５に折り目Ｌ５を形成するとともに、調整フラップ１５の自由端を押さえポケットＰ２に差し通す。この結果、調整フラップ１５と調整カバー部１３とが重なるように折り込まれて、その内側に調整差込ポケットＰ３が、既に本Ｂのオモテ表紙Ｂ３を保持したような状態で形成され、ブックカバー１が本Ｂに装着されて保護カバーとして機能する状態となる。
なお前記折り目Ｌ５は製品段階では明瞭に形成されていない上、本Ｂの厚さで形成位置も変わってくる。その状況を表現するため、図３に示すブランク１Ｂでは、複数の破線で折り目Ｌ５を描いている。
【００２４】
なお前記折り目Ｌ１及び折り目Ｌ２並びに固定糊しろフラップ１７の折り目Ｌ６及びバンド糊しろフラップ１８の折り目Ｌ７は、ブランク１Ｂの打ち抜き時にダイカッタ等によって予め形成しておくことが好ましい。
なお前記折り目Ｌ２が予め形成されることにより、フラップ押さえバンド１６をバンド糊しろフラップ１９に固着させるときの位置決めを確実に行うことが可能となる。
なおこの折り目Ｌ２はあくまで商品として流通する段階における完成状態のときに端部となるものの、上述したようにブックカバー１が本Ｂに装着された際には新たな折り目Ｌ５が端部となるものである。
【００２５】
次に本発明の「ブックカバーの製造方法」について説明するものであり、その概要は以下に示すようなものである。
ブックカバー１が形成される前のブランク１Ｂは図３に示すように、ポケットフラップ１４と、固定カバー部１１と、背表紙カバー部１２と、調整カバー部１３と、調整フラップ１５とが順次連接する状態で形成される。調整カバー部１３の自由端には、フラップ押さえバンド１６が切離可能な状態に延長形成され、更に製品状態で重なり合う前記固定カバー部１１とポケットフラップ１４とのうち、一例として固定カバー部１１側には固定糊しろフラップ１７が張出形成されている。同様に調整カバー部１３とフラップ押さえバンドとうち、一例として調整カバー部１３側にバンド糊しろフラップ１８が張出形成されている。しかしながらいずれの場合も、固定糊しろフラップ１７、バンド糊しろフラップ１８は、表紙カバー部１０側ではなく、ポケットフラップ１４またはフラップ押さえバンド１６側に形成してもよい。
そして本発明の「ブックカバーの製造方法」を実施するための機器構成の一例は図１に示すように、ストッカー２０、コンベヤ２１、折曲装置２２、糊付装置２３及び第一折込装置２４、第二折込装置２５が連続的に具えられるものである。
具体的には図３に示す様なブランク１Ｂがストッカー２０にセットされ、一枚ずつコンベヤ２１によって搬送されながら、各工程において順次処理されることとなる。
【００２６】
最初にブランク１Ｂは図５（ａ）に示す様に、糊しろフラップ折込工程で、固定糊しろフラップ１７、バンド糊しろフラップ１８の曲折部で前記各糊しろフラップを張り出し状態から内側に向けて折り込まれる。この際、図３に示したように、予め折り目Ｌ６、Ｌ７が形成されている場合には、より正確に折り曲げを行うことができる。
そしてこのような糊しろフラップ折込工程で用いられる折曲装置２２は図１に示されるように、上ローラ２１１と下ローラ２１２とに挟まれて搬送されるブランク１Ｂの長手方向に沿って設けられる折曲プレート２２１を有するものであり、この折曲プレート２２１によって、固定糊しろフラップ１７は、図１（ｂ）に拡大して示すように内側に折り込まれて調整カバー部１３に重なるように折り曲げられる。続いて同様にバンド糊しろフラップ１８が折曲プレート２２１によって、固定カバー部１１に重なるように折り曲げられる。
【００２７】
次いでブランク１Ｂには図５（ｂ）に示す様に、接着剤供給工程で、これら固定糊しろフラップ１７、バンド糊しろフラップ１８の一部の部位に接着剤Ｇが供給される。
なおここで固定糊しろフラップ１７、バンド糊しろフラップ１８の一部に接着剤Ｇを供給するのは、図２に示した完成状態で固定糊しろフラップ１７、バンド糊しろフラップ１８の一部が露出するような寸法設定が行われているからであり、このような露出がないような寸法設定が行われた場合には、固定糊しろフラップ１７、バンド糊しろフラップ１８の略全面に接着剤Ｇが供給される。
また接着剤Ｇの供給は、ポケットフラップ１４、フラップ押さえバンド１６における固定糊しろフラップ１７、バンド糊しろフラップ１８と接する部位に行うようにしてもよい。
そしてこのような接着剤供給工程で用いられる糊付装置２３は図１（ｃ）に示されるように、液糊パン２３１内に接着剤Ｇとしての液糊が収容され、この接着剤Ｇを給液ローラ２３２、中継ローラ２３３を用いてスタンプローラ２３４の表面に形成されたスタンプ２３５に転写する。そしてこのスタンプ２３５から、折り込まれた状態の固定糊しろフラップ１７、バンド糊しろフラップ１８の上面に接着剤Ｇが塗布される。
なお前記接着剤Ｇとしては、ホットメルト系接着剤等を用いることもでき、更に糊付装置２３としてはノズルを用いることもできる。
【００２８】
次いで図５（ｃ）に示す様に、フラップ折込工程で、まず前記ポケットフラップ１４を固定カバー部１１側に折り込み、固定糊しろフラップ１７との接触により、ポケットフラップ１４と固定カバー部１１との固定を上下両縁で図る。この際、図３に示したように、予め折り目Ｌ１が形成されている場合には、より正確に折り曲げを行うことができる。
そしてこのようなフラップ折込工程で用いられる第一折込装置２４は図１（ｃ）に示されるように、コンベヤ２１によって移送されてくるブランク１Ｂの先端側、この場合ポケットフラップ１４を、搬送路の上方に退避させるためのガイド板２４１を特徴的部材として具えて成るものである。
コンベヤ２１による搬送が進んでブランク１Ｂの先端すなわちポケットフラップ１４の先端が、ガイド板２４１上に具えられたストッパ２４２に当接すると、ブランク１Ｂの退避はここで終了すると同時に、折り目Ｌ１の後部すなわち固定カバー部１１の先端部分がサクションローラ２４３に対して吸着される。
このためブランク１Ｂは、折り目Ｌ１付近を先頭に進行することとなり、搬送路の上方に退避していたポケットフラップ１４は裏返しにされた状態で進行し始め、ポケットフラップ１４が固定カバー部１１側に折り込まれることとなる。
次いで図１（ｄ）に示すように、重なった状態のポケットフラップ１４と固定カバー部１１は、圧接ローラ２４４に送られて、ここで固定糊しろフラップ１７に塗布された接着剤Ｇによってポケットフラップ１４と固定カバー部１１とが一体化されることとなる。
【００２９】
次いで図５（ｄ）に示す様に、調整フラップ折込工程で、前記フラップ押さえバンド１６を伴った調整フラップ１５を調整カバー部１３側に折り込み、バンド糊しろフラップ１８との接触により、フラップ押さえバンド１６と調整カバー部１３との固定を上下両縁で図る。この際、図３に示したように、予め折り目Ｌ２が形成されている場合には、より正確に折り曲げを行うことができる。
そしてこのようなフラップ折込工程で用いられる第二折込装置２５は、基本構成を前記第一折込装置２４と同一とするものであり、折り目Ｌ２よりも前方の部分がガイド板２５１上に具えられたストッパ２５２に当接するまで、搬送路の上方に退避させることができるように構成されている。
そして折り目Ｌ２の後部すなわち調整フラップ１５の先端部分がサクションローラ２５３に対して吸着され、ブランク１Ｂは、折り目Ｌ２付近を先頭に進行することとなり、搬送路の上方に退避していたポケットフラップ１４及び表紙カバー部１０は裏返しにされた状態で進行し始め、表紙カバー部１０（調整カバー部１３）は調整フラップ１５側に折り込まれることとなる。
次いで重なった状態の表紙カバー部１０（調整カバー部１３）と調整フラップ１５は、圧接ローラ２５４に送られて、ここでバンド糊しろフラップ１８に塗布された接着剤Ｇによってフラップ押さえバンド１６を伴った調整フラップ１５と表紙カバー部１０（調整カバー部１３）とが一体化されることとなる。
【００３０】
なお本発明は上述した実施例を基本となる実施例とするものであるが、本発明の技術的思想に基づいて、以下に示すような実施例とすることもできる。
まず上述した実施例では、固定糊しろフラップ１７とバンド糊しろフラップ１８との間に位置する部位を切除した形態としたが、この部位を図６に示す様に補強フラップ１９として残すことにより、これが内側に折り込まれることにより、背表紙カバー部１２を補強することが可能となる。
この際、補強フラップ１９を接着剤Ｇによって背表紙カバー部１２に固定することが好ましく、折曲装置２２の前段に別途糊付装置２３を設けるようにすればよい。
【００３１】
また図７に示すように、ポケットフラップ１４にしおり１４Ｂを具え、弱化線１４Ｌを形成することにより切り離し自在に具えるようにしてもよい。
この場合、書店等はブックカバー１のみの購入で同時にしおり１４Ｂを入手することができるため、従来のようにブックカバーとしおりの二商材を発注する場合に比べてコストダウンを図ることができる。一方、ブックカバー１の製造業者にとっては、しおり１４Ｂの有無による製造原価はほとんど変わらないため、ブックカバー１の商品価値を高めることができる。
【００３２】
更にまた、図示は省略するが、表紙カバー部１０の略全域に内貼りを貼付することにより、ブックカバー１全体の強度向上を図るようにしてもよい。
【符号の説明】
【００３３】
１      ブックカバー
１Ｂ    ブランク
１０    表紙カバー部
１１    固定カバー部
１２    背表紙カバー部
１３    調整カバー部
１４    ポケットフラップ
１４Ａ  しおり収め部
１４Ｂ  しおり
１４Ｌ  弱化線
１４０  切り込み
１５    調整フラップ
１６    フラップ押さえバンド
１６Ｌ  弱化線
１７    固定糊しろフラップ
１８    バンド糊しろフラップ
１９    補強フラップ
Ｐ１    固定差込ポケット
Ｐ２    押さえポケット
Ｐ３    調整差込ポケット
Ｌ１    折り目
Ｌ２    折り目
Ｌ３    折り目
Ｌ４    折り目
Ｌ５    折り目
Ｌ６    折り目
Ｌ７    折り目
２０    ストッカー
２１    コンベヤ
２１１  上ローラ
２１２  下ローラ
２２    折曲装置
２２１  折曲プレート
２３    糊付装置
２３１  液糊パン
２３２  給液ローラ
２３３  中継ローラ
２３４  スタンプローラ
２３５  スタンプ
２４    第一折込装置
２４１  ガイド板
２４２  ストッパ
２４３  サクションローラ
２４４  圧接ローラ
２５    第二折込装置
２５１  ガイド板
２５２  ストッパ
２５３  サクションローラ
２５４  圧接ローラ
Ｂ      本
Ｂ１    ウラ表紙
Ｂ２    背表紙
Ｂ３    オモテ表紙
Ｇ      接着剤
【図１】
2016087889.tif 000003
【図２】
2016087889.tif 000004
【図３】
2016087889.tif 000005
【図４】
2016087889.tif 000006
【図５】
2016087889.tif 000007
【図６】
2016087889.tif 000008
【図７】
2016087889.tif 000009